(57)【要約】【課題】断熱性を備え施工性に優れた建具を提供する。【解決手段】屋内と屋外とを仕切るパネル材を支持し、屋内側に位置する屋内部材と、屋外側に位置する屋外部材とが断熱材にて連結されている枠材を備え、前記枠材は、前記断熱材の、前記パネル材の面内方向における外側に、当該枠材に他の部材を固定すべくセルフタップネジにて穿孔される穿孔部と、前記穿孔部と交差する方向に延出され、締め込まれる前記セルフタップネジが係合する係合壁部と、を有している。【選択図】図３
2014080791.tif 000002
【特許請求の範囲】
【請求項１】
屋内と屋外とを仕切るパネル材を支持し、屋内側に位置する屋内部材と、屋外側に位置する屋外部材とが断熱材にて連結されている枠材を備え、
前記枠材は、前記断熱材の、前記パネル材の面内方向における外側に、当該枠材に他の部材を固定すべくセルフタップネジにて穿孔される穿孔部と、前記穿孔部と交差する方向に延出され、締め込まれる前記セルフタップネジが係合する係合壁部と、を有していることを特徴とする建具。
【請求項２】
請求項１に記載の建具であって、
前記係合壁部は、前記穿孔部の端から当該穿孔部より屋内側に突出していることを特徴とする建具。
【請求項３】
請求項１または請求項２に記載の建具であって、
前記枠材は矩形状に枠組みされて、前記パネル材は前記枠材の内周側に設けられており、
前記係合壁部は、前記穿孔部のパネル材側及び反パネル材側の端にそれぞれ設けられていることを特徴とする建具。
【請求項４】
請求項３に記載の建具であって、
前記パネル材側の前記係合壁部と前記反パネル材側の前記係合壁部との間隔は、前記セルフタップネジのドリル部の外径より広く、前記セルフタップネジのネジ部の外径より狭いことを特徴とする建具。
【請求項５】
請求項３または請求項４に記載の建具であって、
前記パネル材側の前記係合壁部と前記反パネル材側の前記係合壁部との中央に、前記セルフタップネジの先端の、前記パネル材における面内方向の移動を規制する規制部を有することを特徴とする建具。
【請求項６】
請求項１乃至請求項５のいずれかに記載の建具であって、
前記パネル材は、前記枠材の見込み方向において屋内側に偏った位置にて、見付け方向に移動可能に設けられており、
前記断熱材は、前記枠材において前記パネル材が当接される位置より屋内側に設けられていることを特徴とする建具。
【発明の詳細な説明】
【技術分野】
【０００１】
本発明は、屋内側に位置する屋内部材と、屋外側に位置する屋外部材とが断熱材にて連結されている枠材を備えた建具に関する。
【背景技術】
【０００２】
屋内側に位置する屋内部材と、屋外側に位置する屋外部材とが断熱材にて連結されている枠材を備えた建具としては、例えば、断熱方立により連結する左右の断熱サッシにて構成される連窓が知られている（例えば、特許文献１参照）。
【０００３】
このような連窓は、左右に隣り合う断熱サッシの縦枠が、それらの間に配置された断熱方立により連結されている。断熱サッシの縦枠は、室内部と室外部とが硬質塩化ビニル等の枠側断熱材にて連結されており、枠側断熱材は縦枠の、見込み方向における室内側に偏った位置に配置されている。断熱方立は、室外側にて左右の縦枠に跨る部位を有する外方立と、室内側にて左右の縦枠に跨る部位を有する硬質塩化ビニル等の方立側断熱材と、方立側断熱材の室内側に配置され方立側断熱材とともに左右の縦枠に跨る部位を有する座金とを有している。左右の縦枠は、これら左右の縦枠の間にて、座金と方立側断熱材とを貫通して外方立に螺合されるビスが締め込まれることにより、方立側断熱材及び座金と外方立に挟持されている。また、座金と方立側断熱材を左右の縦枠に固定するビスは、座金と方立側断熱材とを貫通して、枠材の室内部及び枠側断熱材に螺合されている。
【先行技術文献】
【特許文献】
【０００４】
【特許文献１】実開昭６１−４６１６号公報
【発明の概要】
【発明が解決しようとする課題】
【０００５】
上記のような硬質塩化ビニル等の断熱材は、例えば、セルフタップネジが直接螺合されると割れ等が生じ損傷するおそれがある。このため、断熱材にセルフタップネジを使用することはできず、断熱材にねじ止めする場合には、予めねじ穴を形成しておく必要がある。しかしながら、枠材の躯体などへの取り付けや枠材への他の部材の取り付けにおいては、各施工現場に合わせて寸法を調整して取り付ける場合があるため、施工現場にてねじ穴等を形成しなければならず、施工が繁雑であるという課題がある。
【０００６】
本発明は、かかる課題に鑑みてなされたものであり、その目的とするところは、断熱性を備え施工性に優れた建具を提供することにある。
【課題を解決するための手段】
【０００７】
かかる目的を達成するために本発明の建具は、屋内と屋外とを仕切るパネル材を支持し、屋内側に位置する屋内部材と、屋外側に位置する屋外部材とが断熱材にて連結されている枠材を備え、前記枠材は、前記断熱材の、前記パネル材の面内方向における外側に、当該枠材に他の部材を固定すべくセルフタップネジにて穿孔される穿孔部と、前記穿孔部と交差する方向に延出され、締め込まれる前記セルフタップネジが係合する係合壁部と、を有していることを特徴とする建具である。  
このような建具によれば、枠材には他の部材がセルフタップネジにて固定されるので枠材に予め加工を施す必要がない。このため施工性に優れた建具を提供することが可能である。また、他の部材を固定すべくセルフタップネジにて穿孔される穿孔部は断熱材の、パネル材の面内方向における外側に設けられているので、セルフタップネジにより断熱材が損傷するおそれはない。そして、締め込まれるセルフタップネジは、穿孔部と交差する方向に延出された係合壁部に係合されるので、たとえ穿孔部が板状であったとしても、高い引き抜き強度を得ることが可能である。このため、断熱性を損なうことなく、施工性に優れかつ強固に取り付けることが可能な建具を提供することが可能である。
【０００８】
かかる建具であって、前記係合壁部は、前記穿孔部の端から当該穿孔部より屋内側に突出していることが望ましい。  
このような建具によれば、係合壁部は、穿孔部の端から穿孔部より屋内側に突出しているので、たとえ穿孔部が平坦であったとしても、セルフタップネジを締め込む際にセルフタップネジが穿孔部の表面を滑って穿孔部から外れることを防止して確実に締め込むことが可能である。
【０００９】
かかる建具であって、前記枠材は矩形状に枠組みされて、前記パネル材は前記枠材の内周側に設けられており、前記係合壁部は、前記穿孔部のパネル材側及び反パネル材側の端にそれぞれ設けられていることが望ましい。  
このような建具によれば、セルフタップネジは、穿孔部のパネル材側及び反パネル材側にてそれぞれ係合壁部と係合するので、セルフタップネジを締め込むだけでより強固に固定することが可能である。
【００１０】
かかる建具であって、前記パネル材側の前記係合壁部と前記反パネル材側の前記係合壁部との間隔は、前記セルフタップネジのドリル部の外径より広く、前記セルフタップネジのネジ部の外径より狭いことが望ましい。  
このような建具によれば、パネル材側の係合壁部と反パネル材側の係合壁部との間隔は、セルフタップネジのドリル部の外径より広いので、パネル材側の係合壁部と反パネル材側の係合壁部とにてセルフタップネジの回転が阻害されることなく確実に締め込むことが可能である。また、パネル材側の係合壁部と反パネル材側の係合壁部との間隔は、前記セルフタップネジのネジ部の外径より狭いので、セルフタップネジを確実に係合壁部に係合させて強固に固定することが可能である。
【００１１】
かかる建具であって、前記パネル材側の前記係合壁部と前記反パネル材側の前記係合壁部との中央に、前記セルフタップネジの先端の、前記パネル材における面内方向の移動を規制する規制部を有することが望ましい。  
このような建具によれば、セルフタップネジを締め込む際に、セルフタップネジの先端の、面内方向の移動が規制部により規制されるので、より施工性に優れ、かつ、より適切な位置にセルフタップネジを締め込むことが可能である。
【００１２】
かかる建具であって、前記パネル材は、前記枠材の見込み方向において屋内側に偏った位置にて、見付け方向に移動可能に設けられており、前記断熱材は、前記枠材において前記パネル材が当接される位置より屋内側に設けられていることが望ましい。  
このような建具によれば、パネル材が見込み方向において屋内側に偏った位置に設けられている枠材において、断熱材は枠材のパネル材が当接される位置より屋内側に設けられているので、断熱材はより屋内側に位置している。このような建具であっても、断熱材を損傷させることなく容易に施工することが可能である。
【発明の効果】
【００１３】
本発明によれば、断熱性を備え、取り付け作業における施工性に優れた建具を提供することが可能である。
【図面の簡単な説明】
【００１４】
【図１】本実施形態に係る建具を屋内側から見た図である。
【図２】建具が躯体に取り付けられている状態を示す横断面図である。
【図３】図３（ａ）は、左の縦枠を示す横断面図であり、図３（ｂ）は、右の縦枠を示す横断面図である。
【図４】セルフタップネジの一例を示す図である。
【図５】アタッチメントを枠材に取り付ける取付手順を示す図である。
【図６】建具が方立て連結された連窓の連結部を示す横断面図である。
【発明を実施するための形態】
【００１５】
以下、本発明の一実施形態に係る建具について図面を参照して説明する。  
本実施形態の建具１は、図１、図２に示すように、建物等の躯体２に設けられ屋内外を連通する窓用開口２ａに取り付けられる枠材１０と、枠材１０に設けられたレール１０ａに沿って見付け方向に移動可能な２枚の障子３、４を備えた引き違いタイプの建具１である。
【００１６】
以下の説明においては、窓用開口２ａに設けられた状態の建具１を屋内側から見たときに、上下となる方向を上下方向、左右となる方向を左右方向または見付け方向、屋内外方向である奥行き方向を見込み方向として示す。また、矩形状に枠組みされた枠材１０において障子３、４が嵌め込まれる側を内周側、躯体２が位置する側を外周側とする。また、建具１が備える各部材は、単体として説明する場合であっても、窓用開口２ａに設けられた状態で上下方向、見付け方向、見込み方向等となる方向にて方向を特定して説明する。
【００１７】
２枚の障子３、４は、枠材１０の屋外側の領域にて見付け方向に移動可能な外障子３と、枠材１０の屋内側の領域にて見付け方向に移動可能な内障子４とである。外障子３及び内障子４は、いずれもアルミニウム製の押出成型材でなる上下２本の横框３ａ、４ａと左右２本の縦框３ｂ、４ｂにて矩形状に框組みされ、各框３ａ、３ｂ、４ａ、４ｂにて周縁部が収容されてガラス５が設けられている。この障子３、４が、枠材１０に取り付けられた際に、屋内と屋外とを仕切るパネル材に相当する。
【００１８】
枠材１０は、アルミニウム製の押出成型材でなる上下２本の横枠１１と左右２本の縦枠１２、１３にて矩形状に枠組みされている。上下２本の横枠１１には、外障子３及び内障子４を見付け方向に案内するレール１０ａがそれぞれ設けられている。各横枠１１は、内障子４を案内するレール１０ａより屋内側にて、屋内側に位置する屋内部材１１ａと、屋外側に位置する屋外部材１１ｂとに分かれており、屋内部材１１ａと屋外部材１１ｂとは枠側断熱材１１ｃにて連結されている。すなわち、各横枠１１に設けられている２本のレール１０ａはいずれも、枠側断熱材１１ｃよりも屋外部材に設けられている。
【００１９】
左右の縦枠１２、１３は、左の縦枠１２には、外障子３が閉じられた際に、外障子３の戸先框３ｅに入り込み、戸先框３ｅ内に設けられた引き寄せ片６と係合する係合片１２ａが、枠組みされた内周側に突出しており、右の縦枠１３は、内障子４が閉じられた際に、内障子４の戸先框４ｅに入り込み、戸先框４ｅ内に設けられた引き寄せ片６と係合する係合片１３ａが、枠組みされた内周側に突出している。
【００２０】
右の縦枠１３は、図３（ｂ）に示すように、係合片１３ａより屋内側に設けられた枠側断熱材１３ｄより屋内側に位置する屋内部材１３ｂと、屋外側に位置する屋外部材１３ｃとに分かれている。また、左の縦枠１２は、矩形状に枠組みされた際に右の縦枠１３に設けられた枠側断熱材１３ｄと対向する位置に枠側断熱材１２ｄが設けられており、図３（ａ）に示すように、枠側断熱材１２ｄより屋内側に位置する屋内部材１２ｂと、屋外側に位置する屋外部材１２ｃとに分かれている。
【００２１】
左右の縦枠１２、１３の屋外部材１２ｃ、１３ｃ及び屋内部材１２ｂ、１３ｂは、屋外部材１２ｃ、１３ｃの成形部と屋内部材１２ｂ、１３ｂの成形部との間に枠側断熱材１２ｄ、１３ｄの成形部となる空隙を備えた押出型にて一体成形されている。このため、縦枠１２，１３の屋外部材１２ｃ、１３ｃの屋内側の端部及び屋内部材１２ｂ、１３ｂの屋外側の端部には、互いに対向する側が開放されて枠側断熱材１２ｄ、１３ｄが入り込む凹部１２ｅ、１３ｅが上下方向に沿ってそれぞれ設けられている。
【００２２】
屋内部材１２ｂ、１３ｂに設けられた凹部１２ｅ、１３ｅは、凹部１２ｅ、１３ｅの左右、すなわち、矩形状をなす枠材１０の内周側（パネル材側）と外周側（反パネル材側）とにて、屋外に向かって突出している外周側突出部１２ｆ、１３ｆと内周側突出部１２ｇ、１３ｇと、外周側突出部１２ｆ、１３ｆと内周側突出部１２ｇ、１３ｇと屋内側にて繋がって凹部１２ｅ、１３ｅを形成する屋内側壁部１２ｈ、１３ｈとを有している。
【００２３】
屋内側壁部１２ｈ、１３ｈは、内周側突出部１２ｇ、１３ｇより内周側に延出された内側延出部１２ｉ、１３ｉを有している。右側の縦枠１３に設けられた内側延出部１３ｉの屋外側には、この内側延出部１３ｉの屋外側にて移動する内障子４との間をシールするシール材７（図２）が係止されるシール材係止部１３ｊが設けられている。
【００２４】
また、左右の縦枠１２、１３に設けられた凹部１２ｅ、１３ｅより外周側には、図２、図３（ａ）、図３（ｂ）に示すように、枠材１０の屋内側に設けられる額縁８を取り付けるためのアタッチメント９をセルフタップネジ３０により固定するための部材固定部１２ｋ、１３ｋが設けられている。
【００２５】
左右の縦枠１２、１３に設けられた各部材固定部１２ｋ、１３ｋは、図３（ａ）、図３（ｂ）に示すように、外周側突出部１２ｆ、１３ｆの、屋内側壁部１２ｈ、１３ｈの屋内側の面１２ｌ、１３ｌより僅かに屋外側に位置する部位から、反パネル材側となる外周側に向かって突出するように設けられたヒレ状の外周壁部１２ｍ、１３ｍと、外周壁部１２ｍ、１３ｍの外周側の端から屋内側に向かって延出された外周延出部１２ｎ、１３ｎとを有している。すなわち、外周壁部１２ｍ、１３ｍは見付け方向に沿う面を有する部位であり、外周延出部１２ｎ、１３ｎは外周壁部１２ｍ、１３ｍとほぼ直交する方向に延出された部位である。
【００２６】
そして、この部材固定部１２ｋ、１３ｋは、凹部１２ｅ、１３ｅを形成する外周側突出部１２ｆ、１３ｆの屋内側の部位と共に、屋内側に開放されて屋外側に向かって窪み、上下方向に沿う溝状をなしている。また、外周壁部１２ｍ、１３ｍには、外周側突出部１２ｆ、１３ｆと外周延出部１２ｎ、１３ｎとの間隔の中央に僅かな窪みでなる規制部としての罫書１２ｏ、１３ｏが、上下方向に沿って直線状に設けられている。ここで、外周壁部１２ｍ、１３ｍが、他の部材としてのアタッチメント９を固定すべく穿孔される穿孔部に相当し、外周延出部１２ｎ、１３ｎ及び外周側突出部１２ｆ、１３ｆの屋内側の部位が、穿孔部と交差する方向に延出され、締め込まれるセルフタップネジ３０が係合する係合壁部に相当する。
【００２７】
外周延出部１２ｎ、１３ｎの屋内側の縁は、内側延出部１２ｉ、１３ｉの屋内側の面１２ｌ、１３ｌとほぼ同じ位置まで延出されており、屋内側壁部１２ｈ、１３ｈの屋内側の面１２ｌ、１３ｌと外周壁部１２ｍ、１３ｍとの距離は、図４に示すセルフタップネジ３０のドリル部３０ａの刃先長さＬのほぼ半分の距離をなしている。また、外周側突出部１２ｆ、１３ｆと外周延出部１２ｎ、１３ｎとの間隔は、締め込まれるセルフタップネジ３０のドリル部３０ａの外径ｄより僅かに広い幅に形成されている。
【００２８】
枠材１０は、図２に示すように、矩形状に枠組みされた状態にて、躯体２に設けられた窓用開口２ａに、躯体２から突出させて設けられた躯体側鉄筋３１に溶接されたサッシアンカー３２を介して固定されている。また、躯体２の屋内側に設けられる内装ボード３５と、枠材１０とを繋ぐ額縁８が設けられており、枠材１０の各屋内部材１２ｂ、１３ｂには額縁８を枠材１０に固定するためのアタッチメント９がセルフタップネジ３０にて固定されている。
【００２９】
そして、枠材１０を躯体２に取り付ける際には、まず、矩形状に枠組みされた状態の枠材１０の屋外部材１２ｃ、１３ｃに、躯体２に取り付けるためのサッシアンカー３２を取り付け、額縁８を取り付けるためのアタッチメント９を部材固定部１２ｋ、１３ｋに、額縁８をアタッチメント９に、それぞれセルフタップネジ３０にて取り付けておく。
【００３０】
アタッチメント９を部材固定部１２ｋ、１３ｋに固定する際には、図５（ａ）に示すように、枠材１０と別体であるアタッチメント９に下穴９ａが設けられているので、部材固定部１２ｋ、１３ｋにセルフタップネジ３０を締め込むための加工を施す必要はない。そして、図５（ｂ）に示すように、アタッチメント９と枠材１０とを位置決めした後に、アタッチメント９の下穴９ａ側からセルフタップネジ３０を進入させていく。このとき、図５（ｃ）〜図５（ｅ）に示すように、下穴９ａを貫通したセルフタップネジ３０は、外周延出部１２ｎ、１３ｎ及び外周側突出部１２ｆ、１３ｆに案内されつつ接触または螺合するように係合して外周壁部１２ｍ、１３ｍに螺合されていく。
【００３１】
次に、躯体工事にて形成された窓用開口２ａに、サッシアンカー３２及びアタッチメント９が設けられた枠材１０を配置し、窓用開口２ａの内周側に突出されている躯体側鉄筋３１とサッシアンカー３２とを溶接して枠材１０を固定する。
【００３２】
次に、サッシアンカー３２が溶接されている躯体側鉄筋３１に、屋内側に突出するように新たな鉄筋３３を溶接し、その先端に額縁８を固定するための額縁アンカー３４を溶接し、額縁アンカー３４に額縁８を固定する。
【００３３】
次に、枠材１０より屋外側における窓用開口２ａとの隙間にシーリング材３６を設け、枠材１０より外周側における枠材１０と窓用開口２ａとの間に、躯体２の屋内側の面とほぼ面一になるようにモルタル３７を充填し、充填したモルタル３７と躯体２の屋内側の面とに断熱材３９を吹き付ける。
【００３４】
最後に、内装ボード３５を取り付けて室内面を仕上げた後に、外障子３と内障子４とを取り付けて建具１の取り付けが完了する。
【００３５】
このように枠材１０を取り付ける際には、枠材１０と窓用開口２ａとの間の隙間にて、屋内側からの作業により、サッシアンカー３２及び鉄筋３３と躯体側鉄筋３１との溶接及びモルタル３７の充填等の作業が余儀なくされる。このため、屋内側から枠材１０と窓用開口２ａとの間の隙間に繋がる空間はできるだけ広く確保しておくことが望ましく、溶接部より屋外側（枠材１０の外周側）に位置する部材固定部１２ｋ、１３ｋの突出量を小さく抑えると共に、部材固定部１２ｋ、１３ｋが狭くても確実にかつ強固にアタッチメント９を固定すべく、外周延出部１２ｎ、１３ｎが設けられている。
【００３６】
本実施形態の建具１によれば、アタッチメント９はセルフタップネジ３０にて枠材１０に固定されるので枠材１０に予め加工を施す必要がない。このため施工性に優れた建具１を提供することが可能である。また、締め込まれるセルフタップネジ３０は、セルフタップネジ３０のネジ部３０ｂの外径Ｄより僅かに狭い幅に形成された外周側突出部１２ｆ、１３ｆと外周延出部１２ｎ、１３ｎとに接触または螺合するように係合するので、たとえ外周壁部１２ｍ、１３ｍが板状であったとしても、高い引き抜き強度を得ることが可能である。このため、施工性に優れかつ強固に取り付けることが可能な建具１を提供することが可能である。
【００３７】
また、外周延出部１２ｎ、１３ｎは、外周壁部１２ｍ、１３ｍの端から外周壁部１２ｍ、１３ｍより屋内側に突出しているので、たとえ外周壁部１２ｍ、１３ｍが平坦であったとしても、セルフタップネジ３０を締め込む際にセルフタップネジ３０が外周壁部１２ｍ、１３ｍの表面を滑って外周壁部１２ｍ、１３ｍから外れることを防止して確実に締め込むことが可能である。また、外周壁部１２ｍ、１３ｍの両端に外周側突出部１２ｆ、１３ｆと外周延出部１２ｎ、１３ｎが設けられているので、セルフタップネジを螺合した際に発生する外周壁部１２ｍ、１３ｍの切り屑を外周側突出部１２ｆ、１３ｆと外周延出部１２ｎ、１３ｎとの間を通して下方に落とすことが可能であり、切り屑が散乱すること、他の部位に入り込むことを防止することが可能である。
【００３８】
また、パネル材側の係合壁部としての外周側突出部１２ｆ、１３ｆと反パネル材側の係合壁部としての外周延出部１２ｎ、１３ｎとの間隔は、セルフタップネジ３０のドリル部３０ａの外径ｄより広いので、外周側突出部１２ｆ、１３ｆと外周延出部１２ｎ、１３ｎとにてセルフタップネジ３０の回転が阻害されることなくセルフタップネジ３０を確実に締め込むことが可能である。
【００３９】
さらに、外周側突出部１２ｆ、１３ｆと外周延出部１２ｎ、１３ｎとの中央に罫書１２ｏ、１３ｏが設けられているので、セルフタップネジ３０を締め込む際に、セルフタップネジ３０の先端の、面内方向の移動が罫書１２ｏ、１３ｏにより規制されるので、より施工性に優れ、かつ、より適切な位置にて固定することが可能である。
【００４０】
本実施形態の建具１は、内障子４が見込み方向において屋内側に偏った位置に設けられている引き違いタイプの枠材１０を有し、枠側断熱材１２ｄ、１３ｄは枠材１０の内障子４が当接される位置より屋内側に設けられているので、枠側断熱材１２ｄ、１３ｄはより屋内側に位置している。このため、屋内側から枠材１０にアタッチメント９を固定する場合には、セルフタップネジ３０が枠側断熱材１２ｄ、１３ｄに接触しやすいが、外周壁部１２ｍ、１３ｍは枠側断熱材１２ｄ、１３ｄの、障子３、４の面内方向における外側に設けられているので、セルフタップネジ３０が枠側断熱材１２ｄ、１３ｄに接触することを防止することが可能である。すなわち、枠側断熱材１２ｄ、１３ｄがより屋内側に位置している枠材１０であっても枠側断熱材１２ｄ、１３ｄを損傷することなく施工することが可能である。
【００４１】
上記実施形態においては、矩形状に枠組みされた枠材１０が躯体２に取り付けられる例について説明したが、これに限らず、例えば、複数の建具１が少なくとも見付け方向に並べられ、互いに隣り合う建具１の枠材１０同士を方立にて連結される連窓であっても構わない。
【００４２】
この場合には、図６に示すように、互いに隣り合う枠材１０間に、上下方向に長い長尺部材でなるアルミニウム製の屋外側方立材５１と、アルミニウム製の屋内側連結部５２ａ及び樹脂製の屋外突部５２ｂが一体をなす屋内側方立材５２とがビスにて接合された方立５０が介在されている。そして、屋外側方立材５１の屋外側に位置する部位が枠材１０の屋外側にて隣り合う枠材１０間に跨って各々の屋内側壁部１２ｈ、１３ｈに当接され、屋内側方立材５２の屋内側連結部５２ａが枠材１０の屋内側にて隣り合う枠材１０間に跨って当接され、屋内側連結部５２ａ及び屋外突部５２ｂを屋内側から貫通するビス５５が屋外側方立材５１に締め込まれることにより、隣り合う枠材１０が屋外側方立材５１と屋内側方立材５２とに挟持される。このとき、各枠材１０の屋内側壁部１２ｈ、１３ｈより外周側に設けられている部材固定部１２ｋ、１３ｋに屋内側方立材５２とともにセルフタップネジ３０が締め込まれて、隣り合う枠材１０が連結されている。ここでは、屋内側方立材５２がセルフタップネジ３０により固定される他の部材に相当する。この屋内側方立材５２は、屋外側方立材５１のような上下方向に長い長尺部材でなくともよく、例えば、上下方向の長さが屋外側方立材５１より短く形成されて、上下方向に適宜間隔を隔てて複数設けられていても構わない。
【００４３】
上記実施形態においては、引き違いタイプの建具を例に挙げて説明したが、建具は引き違いタイプに限らず、例えば、ＦＩＸタイプ、辷り出しタイプ、上げ下げタイプ、内倒しタイプ、外倒しタイプなど、枠材が断熱材を備えた断熱製を有する建具であれば構わない。
【００４４】
上記実施形態においては、外周延出部１２ｎ、１３ｎが外周壁部１２ｍ、１３ｍから屋内側に延出されている例について説明したが、外周延出部１２ｎ、１３ｎが屋外側に延出されていてもよい。この場合には、セルフタップネジ３０の外周壁部１２ｍ、１３ｍを貫通した部位が外周延出部１２ｎ、１３ｎに接触または螺合するように係合するので、より強固に固定することが可能である。
【００４５】
本実施形態においては、外周側突出部１２ｆ、１３ｆと外周延出部１２ｎ、１３ｎとの間隔は、締め込まれるセルフタップネジ３０のドリル部３０ａの外径ｄより僅かに広い幅に形成されているが、ドリル部３０ａの外径ｄより広く、セルフタップネジのネジ部３０ｂの外径Ｄと同じ、或いは、外径Ｄより狭ければ構わない。この場合には、セルフタップネジの回転が阻害されることなく、かつ、セルフタップネジ３０を外周側突出部１２ｆ、１３ｆと外周延出部１２ｎ、１３ｎに確実に係合させることが可能である。また、部材固定部１２ｋ、１３ｋは、枠側断熱材１２ｄ、１３ｄより障子３の面内方向の外側に設けられているため、部材固定部１２ｋ、１３ｋの幅が広がると、枠材の外形寸法が大きくなることにより、前述したように躯体２への取り付けが難しくなるが、外周側突出部１２ｆ、１３ｆと外周延出部１２ｎ、１３ｎとの間隔を、セルフタップネジ３０のネジ部３０ｂの外径Ｄより狭くすることにより、躯体への取り付け時における作業空間をより広く確保することが可能である。
【００４６】
上記実施形態においては、セルフタップネジの先端の、パネル材における面内方向の移動を規制する規制部を、上下方向に沿う直線状の窪みでなる罫書１２ｏ、１３ｏとしたが、これに限らず、セルフタップネジの先端が入る窪みであれば構わない。
【００４７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  建具、３  外障子（障子）、４  内障子（障子）、５  ガラス、
９  アタッチメント、１０  枠材、１２  縦枠、１２ｂ  屋内部材、
１２ｃ  屋外部材、１２ｄ  枠側断熱材、１２ｋ  部材固定部、
１２ｍ  外周壁部、１２ｎ  外周延出部、１２ｏ  罫書、１３  縦枠、
１３ｂ  屋内部材、１３ｃ  屋外部材、１３ｄ  枠側断熱材、１３ｋ  部材固定部、
１３ｍ  外周壁部、１３ｎ  外周延出部、１３ｏ  罫書、
３０  セルフタップネジ、３０ａ  ドリル部、３０ｂ  ネジ部、５０  方立、
５１  屋外側方立材、５２  屋内側方立材、
Ｄ  ネジ部の外径、ｄ  ドリル部の外径
【図１】
2014080791.tif 000003
【図２】
2014080791.tif 000004
【図３】
2014080791.tif 000005
【図４】
2014080791.tif 000006
【図５】
2014080791.tif 000007
【図６】
2014080791.tif 000008